(57)【要約】      （修正有）【課題】小型発光体から超大型発光体まで対応することができ、均一な明るさで軽量であり、製作コストを低減することができる内照式立体表示物用光源を提供する。【解決手段】光源には小型軽量のＬＥＤモジュール１２を多数使い、その取り付け部には立体発光体の内部に組み込んだ金属躯体８に取り付ける。取り付けは最適な間隔と向きに調整して固定する。【選択図】図３
0003175640.tif 000002
【実用新案登録請求の範囲】
【請求項１】
LEDを使用した小型軽量発光体で、立体看板や立体照明器具の内部に取り付け、マイナス電極はＬＥＤモジュール内に設けられた取り付け穴と、金属躯体を連結する事で通電が可能となり、プラス電極は単線で配線することで軽量・簡素化し、立体発光体が最適な状態で発光する事が可能とした内照式立体表示物用光源。
【請求項２】
LEDモジュールに設けたマイナス電極の取り出し口は金属躯体（８）と連結する事で自動的に通電するよう、ネジ頭と接触する部分に通電するよう配線した前記請求項１記載の内照式立体表示物用光源。
【請求項３】
LEDモジュールに取り付けるLEDの数を1個から１２個までとし、モジュールの形状は円形又は三角形から八角形までとし、使用する電圧を直流５０V未満とした前記請求項１記載の内照式立体表示物用光源。
【考案の詳細な説明】
【技術分野】
【０００１】
LEDを小型・軽量モジュールに組み込み、低消費電力で立体発光体がまんべんなく発光するよう分散点灯させる装置である。LEDモジュールは小型軽量であるため、多数設置しても重量負担も少なく、発熱も低く安全であり、小型から大型の立体発光体の光源に適している。また、近年の技術進歩によりLEDの発光効率が上がり、少ない消費電力で必要な明るさが得られるようになった。
【背景技術】
【０００２】
発光効率の向上LEDチップにより、少ない点灯数で必要な明るさが得られるようになった。その為直流３Vから４９VでLEDを１個から１２個を付けたLEDモジュールを構成して、これを数多く分散点灯すると、大きい出力の小数光源に比べ均一な明るさが得られることが判明した。
【０００３】
LEDモジュールは多数点灯しても発熱が少ない、消費電力も低く分散点灯に適している。例えば０．６Wのモジュールを１００個点灯しても６０Wであり、１個６０Wの電球を点灯するのに比べて１００箇所に光源を分散する事により均一な発光体として仕上げる事が出来る。
【先行技術文献】
【特許文献】
【０００４】
【特許文献１】特開  平０７−１４０９１４号公報
【考案の概要】
【考案が解決しようとする課題】
【０００５】
内照式立体看板、内照式立体表示物に組み込む光源には、電球や蛍光灯やLED電球のように、一定方向に光を放射する目的で作られており、これらの光源を立体表示物の内照光源に使用した場合、照度の強弱が出て均一な明るさを得る事が難しい。
【０００６】
大型の内照式立体表示物に組み込む光源は、光源を取り付ける躯体も大型になり、重量が増えて、その構造・配置の難さ課題である。
【０００７】
新しい技術や新発想で立体表示物が製作される機会が増えてきたが、明るさを均一にする光源の技術が遅れており、均一な明るさを出せず、充分な訴求を表現する事が出来ない。
【課題を解決するための手段】
【０００８】
光源には小型軽量のLEDモジュールを使い、その取り付け具には立体発光体の内部に組み込んだ金属躯体（８）に取り付ける。取り付けは最適な間隔と向きに調整して固定する。小型軽量のLEDを多数取り付ける事で、光源が分散しそれぞれ適切な位置に設置すると均一な明るさを得る事が出来る。
【０００９】
小型光源のLEDモジュールは使用電圧が直流３Vから４８Vと低く安全であり発熱も少ない。この為必要な個所に分散して多数設置する事が出来る。また、多数設置する時に適切な向きに設置出来るので、立体表示物を均一な明るさで表示する事が可能となる。
【００１０】
小型光源のLEDモジュールは直流で低圧である。立体表示物の内部に構成された金属躯体をアースとして使えば、LED発光部の配線には陽極1本で配線が出来るので、配線は簡素化され製作コストを軽減する。
【００１１】
小型光源のLEDモジュールは軽量のため、多数取り付けても重量の負担にはならない。多数取り付けるための躯体はアルミニュウム等の軽量金属を使うと更に全体が軽量化されるため、内照式立体表示物の取り扱いが簡便化される。
【００１２】
新しい発想や新しい技術で立体表示物が製作できるようになった。例えば和紙による立体発光体、真空成型による立体看板ブロー成型による照明器具など、従来光源が取り付けにくく製品化が困難であったものが本考案による小型光源で最適発光が可能となり充分な訴求が出来るようになる。
【００１３】
通電には普通プラス極を配線し、マイナス極を金属躯体に流して通電させるが、取り付ける場所や周りの環境により、マイナス極を配線してプラス極を金属躯体から通電させる方法でも良い。また、プラス・マイナス2本配線でそれぞれのＬＥＤモジュールを結線する事でも構わない。
【考案の効果】
【００１４】
低消費電力のLEDモジュールによる立体発光を実現する事により、必要な光を必要な箇所に分散して内部から明るさを演出する事が出来る。小型発光体から超大型発光体まで対応する事が出来て、それは均一な明るさで軽量であり、発光体の訴求とともに製作コストを軽減する事が出来る。
【図面の簡単な説明】
【００１５】
【図１】図１はLEDモジュールの平面図
【図２】図２はLEDモジュールと金属躯体取り付けの断面図
【図３】図３は立体発光物の断面図
【図４】図４は立体発光物の平面図
【図５】図５は立体発光物の外観側面図
【図６】図６は立体発光物の外観平面図
【考案を実施するための形態】
【００１６】
立体物で発光する看板や表示物の光源には蛍光灯や電球が使われる。それらは一方向を照らす照明具として作られている、立体物の内部照明には出来るだけ均一に光の無駄をなくして発光させる必要があり、それには多数の光源が必要となる。蛍光灯や電球などはその取り付け金具も多数になり重量も増して取り付け方法は堅牢で複雑になる。本発明は発光体が小型軽量で、多数設置しても重量の負担は軽微である、さらに金属躯体（８）にネジ止め（９）する事でマイナス配線が完了して、配線作業が軽減され、製作コストを削減する。
【実施例１】
【００１７】
立体発光体の内部に金属躯体（８）を配し、その躯体にＬＥＤモジュール（１２）を固定する事でマイナス電極配線を省略出来る。発光体は小型軽量であり、必要な向きを決めてネジ止め（９）する事で固定が出来る。ＬＥＤモジュールの消費電力は小さく、多数設置してもその消費電力は小さい。例えば0.6Ｗを100個点灯しても60Ｗと小さい電力で済ませる事が出来る。
【００１８】
立体発光体の色々な形状に対応できる。直線や円形、途中で枝分かれしたＹ字形発光体にも対応する。内部に設ける金属躯体（８）により、その躯体にＬＥＤモジュール（１２）を固定する事で必要な所へ必要な光を供給する事が出来、訴求力のある立体発光体が完成する。
【００１９】
ＬＥＤモジュールは小さい消費電力で発光する。点灯に必要な電力は低く、発熱も少ない。例えばＬＥＤ3個点灯の発光体の場合、直流１２Ｖで100個点灯しても５Ａの電流であり、その発熱量は微少である。電圧も低く安全性に優れている。
【産業上の利用可能性】
【００２０】
小型ＬＥＤモジュールは1個の消費電力は微少である。この事は限られた電力の活用に適している。例えば太陽光発電や自然エネルギーを活用した発電装置との組み合わせで、限られた自然エネルギーを蓄えて繰り返し長期間利用する事が出来る。例えば、外灯や避難誘導灯、道路標識や歩道案内灯などへの活用などその用途は広い。
【符号の説明】
【００２１】
１    LED
２    プリント基板
３    電流制御回路
４    金属製躯体取り付け部兼電極取り出し部（−）
５    電極取り出し部（＋）
６    電極取り出し部（−）
７    モジュール内配線
８    金属躯体
９    躯体取り付けネジ
１０  光拡散部
１１  躯体固定部
１２  ＬＥＤ発光体
１３  配線部（＋）
１４  外部電極結線部（＋）
１５  外部電極結線部（−）
１６  台座
１７  発光部
【図１】
0003175640.tif 000003
【図２】
0003175640.tif 000004
【図３】
0003175640.tif 000005
【図４】
0003175640.tif 000006
【図５】
0003175640.tif 000007
【図６】
0003175640.tif 000008